(57)【要約】【課題】  パソコンへの搭載が増えてきたＰＣＩエクスプレスカード用スロットに収納でき、ＰＣＩエクスプレスカードコネクタに接続できるＩＣカードリーダを提供する。【解決手段】  パソコンのＰＣＩエクスプレスカードのスロットに収納が可能で、ＰＣＩエクスプレスカードコネクタと接続ができ、Ｓｕｉｃａ（登録商標）、Ｅｄｙ（登録商標）等のＩＣカードの読み取りまたは電子マネー課金、電子マネー決済ができることを特徴とするＩＣカードリーダ。【選択図】図６
0003142703.tif 000002
【実用新案登録請求の範囲】
【請求項１】
パソコンのＰＣＩエクスプレスカード用スロットに収納が可能で、ＰＣＩエクスプレスカードコネクタと接続ができ、Ｓｕｉｃａ（登録商標）、Ｅｄｙ（登録商標）等のＩＣカードの読み取りまたは電子マネー課金、電子マネー決済ができることを特徴とするＩＣカードリーダ。
【請求項２】
請求項１記載のＩＣカードリーダであってパソコンのＰＣＩエクスプレスカード用スロットに収納された状態で、前記ＩＣカードリーダ上面にある前記パソコンの筐体またはカバーを通し、前記パソコン上にＩＣカードをかざし、読み取りまたは電子マネー課金、電子マネー決済ができることを特徴とするＩＣカードリーダ。
【請求項３】
上面側は電波を透過する樹脂、下面側は電波を遮蔽する金属でできていることを特徴とする請求項１記載のＩＣカードリーダ。
【請求項４】
ＰＣＩエクスプレスカード／３４及びＰＣＩエクスプレスカード／５４用の各スロットに収納が可能でＰＣＩエクスプレスカードコネクタと接続ができることを特徴とする請求項１記載のＩＣカードリーダ。
【考案の詳細な説明】
【技術分野】
【０００１】  本考案は、ＩＣカードの電子マネーの残金確認、電子マネー課金、決済をパソコンから簡単にできるようにするＩＣカードリーダに関するものである。
【背景技術】
【０００２】  最近色々なところで使われ始めたＩＣカードの電子マネーの残金確認、電子マネー課金、決済をパソコンから簡単にできるようにする為、パソコンにＩＣカードリーダを内蔵し又は図１に示すようにＵＳＢ接続の外付けタイプのＩＣカードリーダ１や図２に示すようにＰＣカードスロット１２に入れられるＩＣカードリーダ１等が市場で売られている。【０００３】  しかしながら、ほとんどのパソコンにはＩＣカードリーダが内蔵されていない、ＰＣカードスロットがついていないパソコンであったりする為、そのパソコンユーザはＵＳＢ等の外付けタイプのＩＣカードリーダを使用し読み取りを行なっていた。【０００４】  外付けタイプのＩＣカードリーダはパソコンと一緒に持ち運びをするには邪魔であり、パソコンに入るＰＣカードタイプの収納できるＩＣカードリーダは便利であるが、ＰＣカードスロットを搭載しないパソコンが増えてきたという問題があった。
【特許文献１】特許３５７９８８９号
【考案の開示】
【考案が解決しようとする課題】
【０００５】  そこで本考案は、パソコンへの搭載が増えてきたＰＣＩエクスプレスカード用スロットに収納でき、ＰＣＩエクスプレスカードコネクタに接続できるＩＣカードリーダを提供しようとするものである
【課題を解決するための手段】
【０００６】  本考案は、上記の課題を解決するためになされたもので、請求項１記載の考案は、パソコンのＰＣＩエクスプレスカード用スロットに収納が可能で、ＰＣＩエクスプレスカードコネクタと接続ができ、Ｓｕｉｃａ、Ｅｄｙ等のＩＣカードの読み取りまたは電子マネー課金、電子マネー決済ができることを特徴とするＩＣカードリーダである。【０００７】  請求項２記載の考案は、請求項１記載のＩＣカードリーダであってパソコンのＰＣＩエクスプレスカード用スロットに収納された状態で、前記ＩＣカードリーダ上面にある前記パソコンの筐体またはカバーを通し、前記パソコン上にＩＣカードをかざし、読み取りまたは電子マネー課金、電子マネー決済ができることを特徴とするＩＣカードリーダである。【０００８】  請求項３記載の考案は、上面側は電波を透過する樹脂、下面側は電波を遮蔽する金属でできていることを特徴とする請求項１記載のＩＣカードリーダである。【０００９】  請求項４記載の考案は、ＰＣＩエクスプレスカード／３４及びＰＣＩエクスプレスカード／５４用の各スロットに収納が可能でＰＣＩエクスプレスカードコネクタと接続ができることを特徴とする請求項１記載のＩＣカードリーダである。
【考案の効果】
【００１０】  本考案は、最近ＩＣカードによる電子マネーの残金確認、電子マネー課金、決済が、色々なところで使われ始めたにもかかわらず、ほとんどのパソコンにはＩＣカードリーダが内蔵されていない、ＰＣカードスロットがついていないという不便を解消し、ＰＣＩエクスプレスカード用スロットに収納が可能で、ＰＣＩエクスプレスカードコネクタと接続ができ、しかもパソコンのカバーを通し本ＩＣカードリーグ上面にＩＣカードをかざすだけで簡単にＩＣカードの情報を読み取ることが可能で、外付けタイプのＩＣカードリーダと違いパソコンに入れたまま持ち運びもできるという便利さがあるＩＣカードリーダの提供により使い勝手、利便性の向上につながる。
【実施例】
【００１１】  図４は、本考案の実施例を示すもので、使用状態を示す斜視図である。パソコン３のＰＣＩエクスプレスカード用スロットに収納された状態の本考案ＩＣカーリーダ１の上面にＩＣカード２をかざしＩＣカード２の情報を読み取ることができる。【００１２】  図５は、本考案の実施説明図でＰＣＩエクスプレスカードコネクタ４に接続された本ＩＣカ−ドリーダ１の状態を示し、ＩＣカード２の情報を受信するアンテナ部５とＩＣカード２の情報を処理する読み取りコントロール回路部６から構成されている。【００１３】  図６は、本考案実施説明図、図５の断面図である。本ＩＣカードリーダ１は、上面は電波を透過する樹脂７、下面は電波を遮蔽する金属８で構成されている。【００１４】  ＰＣＩエクスプレスカード／５４用のスロットは、ＰＣＩエクスプレスカード／３４をさすことができるので本考案のＩＣカードリーダ１の幅を３４ｍｍにすることにより。ＰＣＩエクスプレスカード／５４用スロット及びＰＣＩエクスプレスカード／３４用スロットへの収納、コネクタへの接続もできる。【００１５】  従って、本考案のＩＣカードリーダは、ＰＣＩエクスプレスカード／５４及びＰＣＩエクスプレスカード／３４用スロットを搭載したパソコンに対応でき使い勝手に優れている。
【図面の簡単な説明】
【００１６】
【図１】従来の実施例であるＵＳＢ接続の外付けＩＣカードリーダを示す斜視図
【図２】従来の実施例を示すＰＣカードスロットに入るＩＣカードリーダの斜視図
【図３】図２の拡大側面図
【図４】本実施例の斜視図
【図５】本実施例の説明図
【図６】［図５］の断面図。
【図７】各種カードの外形図。（ａ）ＩＣカード  （ｂ）ＰＣカード（スロット）  （ｃ）ＰＣＩエクスプレスカード／５４  （ｄ）ＰＣＩエクスプレスカード／３４
【符号の説明】
【００１７】１    ＩＣカードリーダ
２    ＩＣカード
３    パソコン
４    ＰＣＩエクスプレスカードコネクタ
５    アンテナ
６    読み取りコントロール回路部
７    電波透過樹脂
８    電波遮蔽金属
９    ＦＰＣ（Ｆｌｅｘｉｂｌｅ  Ｐｒｉｎｔｅｄ  Ｃｉｒｃｕｔｓ）
１０  無線電波概念
１１  ＩＣカード挿入口
１２  ＰＣカードスロット
【図１】
0003142703.tif 000003
【図２】
0003142703.tif 000004
【図３】
0003142703.tif 000005
【図４】
0003142703.tif 000006
【図５】
0003142703.tif 000007
【図６】
0003142703.tif 000008
【図７】
0003142703.tif 000009